(57)【要約】  【課題】当該家具を臨時で使用する際には、天板下を有効利用できるとともに天板の支持強度を確保してデスクとして有効に使用でき、また、当該家具を使用しない場合には、簡単に所定場所等へ移動させて収納できるといった、優れた家具を提供する。  【解決手段】収納機能を有するとともに移動可能に構成された家具本体１と、この家具本体１および脚４で支持される天板３とを備える家具Ａであって、前記天板３を、前記脚４を宙に浮かした状態で前記家具本体１に支持させている退避位置（Ｐ１）と、前記脚４を接地させて前記天板３下に下肢間を形成している使用位置（Ｐ２）との間で移動可能に案内する移動案内機構５を具備して成るようにした。【選択図】図２
2007097741.tif 000002
【特許請求の範囲】
【請求項１】
収納機能を有するとともに移動可能に構成された家具本体と、この家具本体および脚で支持される天板とを備える家具であって、
前記天板を、前記脚を宙に浮かした状態で前記家具本体に支持させている退避位置と、前記脚を接地させて前記天板下に下肢空間を形成している使用位置との間で移動可能に案内する移動案内機構を具備して成ることを特徴とする家具。
【請求項２】
前記移動案内機構が、前記天板の側縁部と前記家具本体の側縁部との間に設けられ且つ前記天板と前記家具本体とのスライド移動を案内するための外側スライド移動案内手段と、この外側スライド移動案内手段の内側に設けられ且つ前記天板と前記家具本体とのスライド移動を案内するための内側スライド移動案内手段とを具備して成ることを特徴とする請求項１記載の家具。
【請求項３】
前記外側スライド移動案内手段が、前記天板側に設けた外側転動体と、前記家具本体側に設けられ且つ前記外側転動体の転動を案内する外側案内レールとを具備するものであることを特徴とする請求項２記載の家具。
【請求項４】
前記外側案内レールが、前記外側転動体を水平に案内する外側水平案内部と、この外側水平案内部の一端側に前記天板を前記使用位置で安定させるための接地案内部とを備えていることを特徴とする請求項３記載の家具。
【請求項５】
前記接地案内部が、前記外側水平案内部よりも低い位置に前記外側転動体を案内するものであることを特徴とする請求項４記載の家具。
【請求項６】
前記外側水平案内部の他端側に前記天板を退避位置へ引き込むための引き込み部を備えていることを特徴とする請求項４または５記載の家具。
【請求項７】
前記引き込み部が、前記外側水平案内部よりも低い位置に前記外側転動体を案内するものであることを特徴とする請求項６記載の家具。
【請求項８】
前記内側スライド移動案内手段が、前記家具本体側に設けた内側転動体と、前記天板側に設けられ且つ前記内側転動体の転動を案内する内側案内レールとを具備するものであることを特徴とする請求項２乃至７いずれか記載の家具。
【請求項９】
前記内側案内レールが、前記内側転動体を水平に案内する内側水平案内部と、この内側水平案内部の一端側に前記天板を前記使用位置で安定させるために前記内側転動体と当該内側案内レールとの当接を回避させる当接回避部とを備えていることを特徴とする請求項８記載の家具。
【請求項１０】
前記家具本体の両側に、内部の収納空間を開放するための開口部を設けていることを特徴とする請求項１乃至９いずれか記載の家具。
【請求項１１】
前記開口部を利用して、前記家具本体の両側から出し入れ可能な引出しを具備して成ることを特徴とする請求項１０記載の家具。
【発明の詳細な説明】
【技術分野】
【０００１】
本発明は、収納機能を有するとともに移動可能に構成された家具本体と、この家具本体および脚で支持される天板とを備える家具に関するものである。
【背景技術】
【０００２】
従来から、補助天板を、家具本体側に収納した退避位置と、家具本体から展開し天板下に下肢空間を形成している使用位置との間で移動可能に構成した家具が知られている（例えば特許文献１参照）。
【特許文献１】実開昭５０−１３９１０６号公報
【発明の開示】
【発明が解決しようとする課題】
【０００３】
しかしながら、このようなものでは、補助天板を支持する脚にキャスタを設けてはいるものの、家具全体を移動させるようには構成されていない。このため、収納場所から持ち出して使用するときや収納するときには、例えば家具全体を持ち上げて移動させる必要があるなど、労力を要するといった問題点を有している。
【０００４】
本発明は、このような課題に着目してなされたものであって、主たる目的は、当該家具を臨時で使用する際には、天板下を有効利用できるとともに天板の支持強度を確保してデスクとして有効に使用でき、また、当該家具を使用しない場合には、簡単に所定場所等へ移動させて収納できるといった、優れた家具を提供することにある。
【課題を解決するための手段】
【０００５】
すなわち、本発明の家具は、収納機能を有するとともに移動可能に構成された家具本体と、この家具本体および脚で支持される天板とを備える家具であって、前記天板を、前記脚を宙に浮かした状態で前記家具本体に支持させている退避位置と、前記脚を接地させて前記天板下に下肢空間を形成している使用位置との間で移動可能に案内する移動案内機構を具備して成ることを特徴とする。
【０００６】
このようなものであれば、天板を使用位置にすれば、天板下に下肢空間が形成されるうえ、脚で天板を支持しているので、天板を安定して使えるなどデスクとして有効に使用することができる。また、天板を退避位置にすれば、脚が宙に浮くので、全体を動かして当該家具を所定の場所等に収納することが容易に行える。
【０００７】
すなわち、当該家具を臨時で使用する際には、天板下を有効利用できるとともに天板の支持強度を確保してデスクとして有効に使用でき、また、当該家具を使用しない場合には、簡単に所定場所等へ移動させて収納できるといった、優れた家具を提供することができる。
【０００８】
なお、前記移動案内機構が、前記天板の側縁部と前記家具本体の側縁部との間に設けられ且つ前記天板と前記家具本体とのスライド移動を案内するための外側スライド移動案内手段と、この外側スライド移動案内手段の内側に設けられ且つ前記天板と前記家具本体とのスライド移動を案内するための内側スライド移動案内手段とを具備して成るのであれば、天板を、外側スライド移動案内手段と内側スライド移動案内手段との両方で安定して且つ水平な状態で支えることができる。
【０００９】
前記外側スライド移動案内手段の望ましい態様としては、この外側スライド移動案内手段が、前記天板側に設けた外側転動体と、前記家具本体側に設けられ且つ前記外側転動体の転動を案内する外側案内レールとを具備するものが挙げられる。
【００１０】
天板を、退避位置と使用位置との間ではスムーズに移動させることができ、且つ、使用位置では安定させるには、前記外側案内レールが、前記外側転動体を水平に案内する外側水平案内部と、この外側水平案内部の一端側に前記天板を前記使用位置で安定させるための接地案内部とを備えていることが望ましい。
【００１１】
このとき、前記接地案内部が、前記外側水平案内部よりも低い位置に前記外側転動体を案内するものであれば、簡単な構成でありながらも天板を使用位置で確実に安定させることができる。
【００１２】
退避位置にある天板が、使用位置の方向へ不意に移動することを防止するためには、前記外側水平案内部の他端側に前記天板を退避位置へ引き込むための引き込み部を備えていることが好ましい。
【００１３】
このとき、前記引き込み部が、前記外側水平案内部よりも低い位置に前記外側転動体を案内するものであれば、簡単な構成でありながらも天板を退避位置に引き込み続けることができ、天板が使用位置の方向へ不意に移動することを確実に防止できる。
【００１４】
前記内側スライド移動案内手段の望ましい態様としては、この内側スライド移動案内手段が、前記家具本体側に設けた内側転動体と、前記天板側に設けられ且つ前記内側転動体の転動を案内する内側案内レールとを具備するものが挙げられる。
【００１５】
本発明の望ましい態様としては、前記内側案内レールが、前記内側転動体を水平に案内する内側水平案内部と、この内側水平案内部の一端側に前記天板を前記使用位置で安定させるために前記内側転動体と当該内側案内レールとの当接を回避させる当接回避部とを備えているものが挙げられる。
【００１６】
前記家具本体の両側に、内部の収納空間を開放するための開口部を設けているのであれば、家具本体の収納空間に両側からアクセスできるので使い勝手の良いものとすることができる。このとき、前記開口部を利用して、前記家具本体の両側から出し入れ可能な引出しを具備して成るのであれば、その効果は顕著なものと成る。
【発明の効果】
【００１７】
以上説明したように本発明の家具によれば、天板を使用位置にすれば、天板下に下肢空間が形成されるうえ、脚で天板を支持しているので、天板を安定して使えるなどデスクとして有効に使用することができる。また、天板を退避位置にすれば、脚が宙に浮くので、全体を動かして当該家具を所定の場所等に収納することが容易に行える。
【００１８】
すなわち、当該家具を臨時で使用する際には、天板下を有効利用できるとともに天板の支持強度を確保してデスクとして有効に使用でき、また、当該家具を使用しない場合には、簡単に所定場所等へ移動させて収納できるといった、優れた家具を提供することができる。
【発明を実施するための最良の形態】
【００１９】
以下、本発明の一実施形態を、図面を参照して説明する。
【００２０】
本実施形態に係る家具Ａは、一般的なオフィス等で、例えば、部外者のように一時的に当該オフィスを使用する人などによって臨時に使用されるものであって、図１、図２、図３に示すように、移動可能に構成されたワゴンタイプの家具本体１と、家具本体１の両側から出し入れ可能な引出し２と、家具本体１および脚４で支持される天板３と、天板３を脚４を宙に浮かした状態で家具本体１に支持させている退避位置（Ｐ１）及び脚４を接地させて天板３下に下肢空間を形成している使用位置（Ｐ２）の間で移動可能に案内する移動案内機構５とを具備して成るものである。以下、各部を具体的に説明する。なお、図１において、天板３の図示手前側を「第１の使用端側」、向こう側を「第２の使用端側」とし、第１の使用端側から第２の使用端側に向かう方向に直交する方向を「奥行き方向」と記すこととする。
【００２１】
家具本体１は、下面４隅に計４個のキャスタ１Ｃを設けた平面視略矩形状の底板１１と、この底板１１の両端から略直角に起立する一対の起立板１２と、この起立板１２の上端部間に設けた頂板１３とを、それぞれ金属板を板金加工により形成し、これら各部を、ねじ等の締結部材或いはスポット溶接により取り付けて構成したものである。そして、これら底板１１、起立板１２、頂板１３により外部の空間と区切られた空間を、物品を出し入れ可能な開口部１０１を有する収納空間１０としている。また、起立板１２の収納空間１０側の面には、引出し案内レール１ａを着脱可能に支持する取付孔１２１を設けている。引出し案内レール１ａは、引出し２を家具本体１の両側へ引き出し可能にするためのものである。なお、本実施形態では、取付孔１２１は、起立板１２の両側縁部に沿って、所定ピッチで複数個形成しており、これにより、引出し２を家具本体１の所望の高さ位置に取り付けることができる。また、本実施形態では、脚４側とは反対の起立板１２の外面に、当該家具Ａの移動の際に用いる引き手１４を設けている。この引き手１４は、図５に示すように、長手方向に各部等断面形状を有する角筒状で把持可能な引き手本体１４１と、この引き手本体１４１を家具本体１に対して添設させた添設姿勢および離間させた離間姿勢のいずれかの姿勢で保持する一対の保持部１４２とを具備して成る。保持部１４２は、金属製で長手方向に各部略等断面形状を有する保持アーム１４２ｘと、この保持アーム１４２ｘの基端部を回動可能に支持する金属製の回動支持部１４２ｙと、これら各部の回動部分を覆う合成樹脂製で側面視略三角形状のカバー部１４２ｚとを具備するものである。そして、この回動支持部１４２ｙが、保持アーム１４２ｘを、起立板１２に添設する状態で保持することで、引き手本体１４１が添設姿勢を取ることができ、また、起立板１２に対して略１３５度に開成した状態で保持することで、引き手本体１４１が離間姿勢を取ることができるようにしている。引き手本体１４１の起立板１２に対する開成角度を略１３５度としているが、この開成角度は本実施形態のものに限られない。さらに、本実施形態では、頂板１３の上向き面で且つ脚４のある側に、天板本体３１を内側で支持するための内側天板支持部１５を設けている。この内側天板支持部１５は、頂板１３の上向き面に取り付けられる内側取付片１５１と、この内側取付片１５１の両外側をそれぞれ略直角に起立させた起立片１５２とを具備するものであって、これら各部を板金素材を用いて一体に形成している。そして、起立片１５２の上端部で、該起立片１５２の外側に配した後述する内側転動体Ｔ２を軸支するように構成している。またさらに、本実施形態では、頂板１３の各使用端側の下向き面に添設し且つ起立板１２間に横架させた横架フレーム１６を設けている。この横架フレーム１６は、金属製のものであって、外向き面に、後述する外側転動体Ｔ１の転動を案内するための後述する外側案内レールＬ１を設けている。
【００２２】
引出し２は、平面視略矩形状の底壁２１と、この底壁２１の両方の使用端側縁をそれぞれ略直角に起立させて成り且つ上端部に断面視略下向きコ字状の把手２２１を備えた一対の使用端側壁２２と、底壁２１の両端縁をそれぞれ略直角に起立させ且つ家具本体１に取り付けられる取付壁２３とを具備し、これら各部を金属板を板金加工して形成することにより、上方に開口する薄型略箱体状を成すようにしたものである。また、取付壁２３の外面側には、家具本体１の引出し案内レール１ａに案内されてスライド移動可能な図示しないレールを設けている。
【００２３】
天板３は、木製の天板本体３１と、この天板本体３１の裏面に設けた金属製の天板受け３２と、天板本体３１を家具本体１に移動可能に支持させるための外側天板支持部３３とを具備するものである。
【００２４】
より具体的に、天板本体３１は、平面視略トラック形状を有するものである。そして本実施形態では、天板本体３１を、家具本体１と退避位置（Ｐ１）で平面視略重合する程度の大きさとしてしている。天板受け３２は、平面視略矩形状を成し天板３裏面に添設してネジ止めされる天板受け頂壁３２１と、この天板受け頂壁３２１の各周縁をそれぞれ略直角に垂下させた天板受け周壁３２２ａ、３２２ｂ（以下、天板受け周壁３２２と総称する）とを具備し、これら各部をアルミダイキャストなどで一体に形成することにより、下方に開口する薄型略箱体状を成すようにしたものである。また、４つの天板受け周壁３２２のうち、使用端側に平行な天板受け周壁３２２ａの内面側には、内側転動体Ｔ２を案内するための後述する内側案内レールＬ２を設けている。外側天板支持部３３は、天板本体３１の下向き面に取り付けられる外側取付片３３１と、この外側取付片３３１の外側を略直角に垂下させた垂下片３３２とを具備する略Ｌ字状のものであって、これら各部を板金素材を用いて一体に形成している。そして、垂下片３３２の下端部で、該垂下片３３２の内側に配した後述する外側転動体Ｔ１を軸支するように構成している。
【００２５】
脚４は、天板受け３２に上端部を取り付けて成る一対の脚本体４１と、この脚本体４１の下端部間に設けた脚台４２とを具備するものである。
【００２６】
より具体的に、脚本体４１は、金属製の丸パイプを所定の長さ寸法に切断加工などして形成したものである。脚台４２は、その輪郭形状が脚本体４１間では略直線状を成し、且つ両端部では部分円弧状を成すようにしたものである。
【００２７】
移動案内機構５は、図４、図６などに示すように、天板３の側縁部と家具本体１の側縁部との間に設けられ且つ天板３と家具本体１とのスライド移動を案内するための外側スライド移動案内手段５１と、この外側スライド移動案内手段５１の内側に設けられ且つ天板３と家具本体１とのスライド移動を案内するための内側スライド移動案内手段５２とを具備して成るものである。
【００２８】
外側スライド移動案内手段５１は、天板３側に設けた外側転動体Ｔ１と、家具本体１側に設けられ且つ外側転動体Ｔ１の転動を案内する外側案内レールＬ１とを具備するものである。
【００２９】
外側転動体Ｔ１は、進行方向と直交する外側支持軸に回動可能に軸支することにより、外側案内レールＬ１上を転動するように構成したものであって、本実施形態では合成樹脂により形成している。
【００３０】
外側案内レールＬ１は、横架フレーム１６の外向き面に設けられて成るものであって、外側転動体Ｔ１を水平に案内する外側水平案内部Ｌ１１と、この水平部の一端側に天板３を使用位置（Ｐ２）で安定させるための接地案内部Ｌ１２と、外側水平案内部Ｌ１１の他端側に天板３を退避位置（Ｐ１）へ引き込むための引き込み部Ｌ１３とを備えている。本実施形態では、接地案内部Ｌ１２が、外側水平案内部Ｌ１１よりも低い位置に外側転動体Ｔ１を案内するように、接地案内部Ｌ１２を、外側水平案内部Ｌ１１より窪ませている。また、引き込み部Ｌ１３が、外側水平案内部Ｌ１１よりも低い位置に外側転動体Ｔ１を案内するように、引き込み部Ｌ１３を外側水平案内部Ｌ１１よりも窪ませている。
【００３１】
一方、内側スライド移動案内手段５２は、家具本体１側に設けた内側転動体Ｔ２と、天板３側に設けられ且つ内側転動体Ｔ２の転動を案内する内側案内レールＬ２とを具備するものである。
【００３２】
内側転動体Ｔ２は、進行方向と直交する内側支持軸に回動可能に軸支することにより、内側案内レールＬ２上を転動するように構成したものであって、本実施形態では合成樹脂により形成している。
【００３３】
内側案内レールＬ２は、天板受け周壁３２２の内向き面に設けられて成るものであって、内側転動体Ｔ２を水平に案内する内側水平案内部Ｌ２１と、この内側水平案内部Ｌ２１の一端側に天板３を使用位置（Ｐ２）で安定させるために内側転動体Ｔ２と当該内側案内レールＬ２との当接を回避させる当接回避部Ｌ２２とを備えている。本実施形態では、当接回避部Ｌ２２を内側水平案内部Ｌ２１よりも高い位置に設定することで、内側転動体Ｔ２と当該内側案内レールＬ２との当接を回避するようにしている。
【００３４】
以下、本実施形態の家具Ａの使用方法を以下に説明する。
【００３５】
（１）退避位置（Ｐ１）にある天板３を、使用位置（Ｐ２）へ移動する場合。
【００３６】
退避位置（Ｐ１）にある天板３を、使用位置（Ｐ２）方向へ移動すると、外側転動体Ｔ１は外側水平案内部Ｌ１１内を転動し、また、内側転動体Ｔ２は内側水平案内部Ｌ２１内を転動する。
【００３７】
そして、外側転動体Ｔ１が、接地案内部Ｌ１２に到達したところで脚４を設置させると、内側転動体Ｔ２は、当接回避部Ｌ２２内に位置付けられる。このようにして、天板３は、脚４と接地案内部Ｌ１２内の外側転動体Ｔ１とで安定した状態で支持されることとなり、天板３を、図２（ａ）に示すような使用位置（Ｐ２）にすることができる。
【００３８】
なお、天板３が退避位置（Ｐ１）にある場合には、外側転動体Ｔ１は、外側案内レールＬ１の引き込み部Ｌ１３に居る。このため、外側転動体Ｔ１を引き込み部Ｌ１３から内側水平案内部Ｌ２１へと引き上げ得るだけの外力を、天板３に加えなければ、外側転動体Ｔ１は引き込み部Ｌ１３に留まり続ける。
【００３９】
（２）使用位置（Ｐ２）にある天板３を、退避位置（Ｐ１）へ移動する場合。
【００４０】
使用位置（Ｐ２）にある天板３を、退避位置（Ｐ１）方向へ移動すると、外側転動体Ｔ１は外側水平案内部Ｌ１１内を転動し、また、内側転動体Ｔ２は内側水平案内部Ｌ２１内を転動する。なお、このように使用位置（Ｐ２）にある天板３を、退避位置（Ｐ１）方向へ移動させる際には、脚４を少し持ち上げて脚４を床から浮かせるようにすれば、天板３をよりスムーズに移動させることができる。
【００４１】
そして、外側転動体Ｔ１が、外側案内レールＬ１の引き込み部Ｌ１３に差し掛かると、引き込み部Ｌ１３は外側水平案内部Ｌ１１よりも低く設定されているため、外側転動体Ｔ１は引き込み部Ｌ１３に引き込まれることとなる。また、このとき、内側転動体Ｔ２は、外側転動体Ｔ１の転動を妨げることなく内側水平案内部Ｌ２１内を転動する。このようにして、天板３は、その脚４側は内側転動体Ｔ２に支持され且つその脚４の反対側は外側転動体Ｔ１に支持されることとなり、天板３を、図２（ｂ）に示すような退避位置（Ｐ１）にすることができる。
【００４２】
なお、天板３が退避位置（Ｐ１）にある場合には、外側転動体Ｔ１は、外側案内レールＬ１の引き込み部Ｌ１３に居る。このため、外側転動体Ｔ１を引き込み部Ｌ１３から内側水平案内部Ｌ２１へと引き上げ得るだけの外力を、天板３に加えなければ、外側転動体Ｔ１は引き込み部Ｌ１３に留まり続ける。
【００４３】
このように、本実施形態に係る家具Ａは、天板３を使用位置（Ｐ２）にすれば、天板３下に下肢空間が形成されるうえ、脚４で天板３を支持しているので、天板３を安定して使えるなどデスクとして有効に使用することができる。また、天板３を退避位置（Ｐ１）にすれば、脚４が宙に浮くので、全体を動かして当該家具Ａを所定の場所等に収納することが容易に行える。
【００４４】
すなわち、当該家具Ａを臨時で使用する際には、天板３下を有効利用できるとともに天板３の支持強度を確保してデスクとして有効に使用でき、また、当該家具Ａを使用しない場合には、簡単に所定場所等へ移動させて収納できるといった、優れた家具Ａを提供することができる。
【００４５】
なお、移動案内機構５が、天板３の側縁部と家具本体１の側縁部との間に設けられ且つ天板３と家具本体１とのスライド移動を案内するための外側スライド移動案内手段５１と、この外側スライド移動案内手段５１の内側に設けられ且つ天板３と家具本体１とのスライド移動を案内するための内側スライド移動案内手段５２とを具備しているので、天板３を、外側スライド移動案内手段５１と内側スライド移動案内手段５２との両方で安定して且つ水平な状態で支えることができる。
【００４６】
外側案内レールＬ１が、外側転動体Ｔ１を水平に案内する外側水平案内部Ｌ１１と、この外側水平案内部Ｌ１１の一端側に天板３を使用位置（Ｐ２）で安定させるための接地案内部Ｌ１２とを備えているため、天板３を、退避位置（Ｐ１）と使用位置（Ｐ２）との間ではスムーズに移動させることができ、且つ、使用位置（Ｐ２）では安定させることができる。
【００４７】
また、接地案内部Ｌ１２が、外側水平案内部Ｌ１１よりも低い位置に外側転動体Ｔ１を案内するものであるので、簡単な構成でありながらも天板３を使用位置（Ｐ２）で確実に安定させることができる。
【００４８】
外側水平案内部Ｌ１１の他端側に天板３を退避位置（Ｐ１）へ引き込むための引き込み部Ｌ１３を備えているため、退避位置（Ｐ１）にある天板３が、使用位置（Ｐ２）の方向へ不意に移動することを防止することができる。
【００４９】
また、引き込み部Ｌ１３が、外側水平案内部Ｌ１１よりも低い位置に外側転動体Ｔ１を案内するものであるので、簡単な構成でありながらも天板３を退避位置（Ｐ１）に引き込み続けることができ、天板３が使用位置（Ｐ２）の方向へ不意に移動することを確実に防止できる。
【００５０】
家具本体１の両側に、内部の収納空間１０を開放するための開口部１０１を設けているので、家具本体１の収納空間１０に両側からアクセスできるので使い勝手の良いものとすることができる。また、開口部１０１を利用して、家具本体１の両側から出し入れ可能な引出し２を具備して成るので、その効果は顕著なものと成る。
【００５１】
なお、本発明は、以上に詳述した実施形態に限られるものではない。
【００５２】
例えば、家具本体に、移動可能に構成されたワゴンタイプのものを用いているが、ワゴンタイプで無くても良い。
【００５３】
また、家具本体の両側から収納空間を利用し得るようにしているが、片側からアクセスして収納空間を利用できるものであっても良い。アクセスの方向も本実施形態のものに限られず任意で良い。
【００５４】
また、移動案内機構が、外側スライド移動案内手段と内側スライド移動案内手段とを具備して成るものとしているが、移動案内機構の構成は本実施形態のものに限られない。
【００５５】
また、天板や脚の構成も本実施形態のものに限られない。
【００５６】
その他、各部の具体的構成についても上記実施形態に限られるものではなく、本発明の趣旨を逸脱しない範囲で種々変形が可能である。
【図面の簡単な説明】
【００５７】
【図１】本発明の一実施形態に係る家具の全体斜視図。
【図２】同実施形態における各転動体の各レールに対する位置関係を模式的に示す図。
【図３】同実施形態における家具を示す正面図、側面図及び平面図。
【図４】同実施形態における移動案内機構の要部を示す拡大斜視図。
【図５】同実施形態における引き手部分を示す拡大斜視図。
【図６】同実施形態における移動案内機構の要部を示す拡大斜視図。
【符号の説明】
【００５８】
Ａ・・・・・・家具
１・・・・・・家具本体
２・・・・・・引出し
３・・・・・・天板
４・・・・・・脚
５・・・・・・移動案内機構
１０・・・・・収納空間
５１・・・・・外側スライド移動案内手段
５２・・・・・内側スライド移動案内手段
１０１・・・・開口部
Ｌ１・・・・・外側案内レール
Ｌ２・・・・・内側案内レール
Ｌ１１・・・・外側水平案内部
Ｌ１２・・・・接地案内部
Ｌ１３・・・・引き込み部
Ｌ２１・・・・内側水平案内部
Ｌ２２・・・・当接回避部
Ｔ１・・・・・外側転動体
Ｔ２・・・・・内側転動体
（Ｐ１）・・・退避位置
（Ｐ２）・・・使用位置
【図１】
2007097741.tif 000003
【図２】
2007097741.tif 000004
【図３】
2007097741.tif 000005
【図４】
2007097741.tif 000006
【図５】
2007097741.tif 000007
【図６】
2007097741.tif 000008